(57)【特許請求の範囲】
【請求項１】
ゴム製板状部材と、前記ゴム製板状部材の上面に密着した熱可塑性エラストマー製の上部形成部と、前記ゴム製板状部材の下面に密着した熱可塑性エラストマー製の下部形成部とを有し、前記ゴム製板状部材の全体が前記上部形成部と前記下部形成部により被包されている薬剤容器用栓体であって、
前記下部形成部は、前記ゴム製板状部材の前記下面に密着した底板部と、前記底板部の周縁部から前記上部形成部方向に延びる複数の下部脚部とを有し、前記上部形成部は、前記ゴム製板状部材の上面に密着した上板部と、前記上板部の周縁部から前記下部形成部方向に延び、前記下部形成部の前記脚部間を補填するように形成された複数の上部脚部を備え、さらに、前記上部脚部は、前記ゴム製板状部材の下面方向に延び、前記ゴム製板状部材の下面の周縁部と密着する内側延出部を有していることを特徴とする薬剤容器用栓体。
【請求項２】
前記下部形成部は、前記底板部の側面に形成された切欠部を有し、前記上部形成部の前記上部脚部は、前記切欠部を補填している請求項１に記載の薬剤容器用栓体。
【請求項３】
前記下部形成部の前記下部脚部は、前記下部脚部の側面より前記下部脚部の内側に延びる凹部を有し、前記底板部の前記切欠部の側部は、前記下部脚部の前記凹部方向に延び前記凹部と一体化しており、前記上部形成部は、前記下部形成部の前記下部脚部の凹部および前記底板部の前記切欠部を補填している請求項２に記載の薬剤容器用栓体。
【請求項４】
前記下部形成部の前記下部脚部は、前記下部脚部の両側面より前記下部脚部の内側に延びる凹部を有し、前記底板部の前記切欠部の両側部は、前記下部脚部の前記凹部方向に延び前記凹部と一体化しており、前記上部形成部は、前記下部形成部の前記下部脚部の凹部および前記底板部の前記切欠部を補填している請求項２に記載の薬剤容器用栓体。
【請求項５】
前記下部脚部の前記凹部は、前記下部脚部の下端から上端まで延びている請求項３または４に記載の薬剤容器用栓体。
【請求項６】
前記下部形成部は、前記上部形成部方向に延びる３ないし５の上部脚部と、前記複数の下部脚部間により形成された３ないし５の下部脚部間空隙を有し、前記上部形成部は、前記下部脚部間空隙を補填するように形成された３ないし５の上部脚部を備えている請求項１ないし５のいずれかに記載の薬剤容器用栓体。
【請求項７】
前記上部形成部の前記上板部の刺通抵抗および前記下部形成部の前記底板部の刺通抵抗は、前記ゴム製板状部材の刺通抵抗より小さい請求項１ないし６のいずれかに記載の薬剤容器用栓体。
【請求項８】
前記ゴム製板状部材の肉厚は、前記栓体の中央部の肉厚の１／１０〜４／５である請求項１ないし７のいずれかに記載の薬剤容器用栓体。
【請求項９】
前記上部形成部の前記上板部の肉厚は、前記栓体の中央部の肉厚の１／６〜５／６である請求項１ないし８のいずれかに記載の薬剤容器用栓体。
【請求項１０】
前記下部形成部の前記底板部の肉厚は、前記栓体の中央部の肉厚の１／６〜５／６である請求項１ないし９のいずれかに記載の薬剤容器用栓体。
【請求項１１】
熱可塑性樹脂製の筒状部材と、前記筒状部材の一端部内に固着され、前記一端部を閉塞する薬剤容器用栓体とからなる薬剤容器用栓部材であって、前記薬剤容器用栓体が、請求項１ないし１０のいずれかに記載の薬剤容器用栓体であることを特徴とする薬剤容器用栓部材。
【請求項１２】
開口部を有する薬剤容器本体と、前記薬剤容器本体の前記開口部に装着され、前記開口部を封止する請求項１１に記載の薬剤容器用栓部材と、前記薬剤容器本体内に収納された薬剤とを備えることを特徴とする薬剤収納済薬剤容器。
【請求項１３】
ゴム製板状部材と、前記ゴム製板状部材の上面に密着した熱可塑性エラストマー製の上部形成部と、前記ゴム製板状部材の下面に密着し、かつ前記上部形成部と固着した熱可塑性エラストマー製の下部形成部とを有し、前記ゴム製板状部材の全体が前記上部形成部と前記下部形成部により被包されている薬剤容器用栓体を金型を用いた射出成形により製造する薬剤容器用栓体の製造方法であって、
前記製造方法は、前記ゴム製板状部材を準備する板状部材準備工程と、
前記ゴム製板状部材の下面と前記金型内面間に空隙が形成されるように、前記ゴム製板状部材の周縁部を金型のキャビティ内の複数の部位にて保持し、前記キャビティ内の複数の部位により保持された板状部材を下部形成部成形用金型内に入れ、前記板状部材の周縁部および底部に熱可塑性エラストマー溶融物を射出する下部形成部成形工程と、前記板状部材および前記下部形成部を上部形成部成形用金型内に入れ、かつ、前記下部形成部成形工程における前記ゴム製板状部材の保持部位を取り除き、当該部位を空隙とした状態にて、前記ゴム製板状部材を有する下部形成部の上部、周縁部および前記空隙に熱可塑性エラストマー溶融物を射出する上部形成部成形工程とを行うことを特徴とする薬剤容器用栓体の製造方法。
【請求項１４】
前記下部形成部成形工程は、前記板状部材に熱可塑性エラストマー溶融物が直接当接しないように、前記板状部材の周縁の外部より熱可塑性エラストマー溶融物の射出を行うものである請求項１３に記載の薬剤容器用栓体の製造方法。
【請求項１５】
前記上部形成部成形工程は、熱可塑性エラストマー溶融物が、前記下部形成部成形工程において形成された下部形成部に当接した後、前記ゴム製板状部材の上面に流入するように射出を行うものである請求項１３または１４に記載の薬剤容器用栓体の製造方法。
【発明の詳細な説明】
【技術分野】
【０００１】
本発明は、薬剤容器用栓体、薬剤容器用栓体の製造方法、薬剤容器用栓部材およびそれを用いた薬剤収納済薬剤容器に関するものである。
【背景技術】
【０００２】
従来より、ゴム栓により封止された容器内に薬剤が収納された状態の医療用容器が多く提供されている。そして、医療用容器に用いられるゴム栓が容器に収納される薬剤に及ぼす影響についても検討されてきている。影響としては、薬剤の変性、薬剤含有量の減少などの点が検討されている。具体的には、ゴム栓表面への薬剤吸着、ゴム栓内部への薬剤収着に起因するゴム栓への薬剤収着、さらには、ゴム栓素材からのゴム栓形成成分の溶出などである。そして、このような問題が生じやすい薬剤としては、インスリン、成長ホルモン、エリスロポエチン、顆粒球コロニー刺激因子、抗体、ワクチン等のタンパク質製剤、カルシトニン等のペプチド製剤、ニトログリセリン、硝酸イソソルビド、塩酸ニカルジピンなどが知られている。
【０００３】
薬剤容器、いわゆるバイアル瓶用のゴム栓としては、特開２０１４−７９３７３（特許文献１）のように、ゴム栓の薬剤と接する部分に不活性フィルムを積層したものが提案されている。この特許文献１では、ゴム栓に積層する不活性フィルムとして、フッ素系樹脂またはオレフィン系樹脂が例示されている。さらに、この特許文献１には、フランジ天面または不活性フィルム積層面を、非反応性シリコーンまたは反応性シリコーンで表面コートすることも開示されている。
また、実開平２−１４７１３１（特許文献２）には、熱可塑性エラストマーの栓体内部に、自己密閉性を有するゴム芯体部が封入一体化された輸液用器用複合ゴム栓が開示されている。
【先行技術文献】
【特許文献】
【０００４】
【特許文献１】特開２０１４−７９３７３
【特許文献２】実開平２−１４７１３１
【発明の概要】
【発明が解決しようとする課題】
【０００５】
特許文献１のものも有効であるが、不活性フィルムを用いるものであり、ゴム栓が固くなる場合があり、また、このようなゴム栓は、複数回、注射針などの穿刺部材が穿刺されることがあり、穿刺跡より薬剤が漏れる場合があった。また、特許文献２のようなもの、特に、特許文献２の図面に示されているものは、作図は可能であるが、実際に、熱可塑性エラストマーの栓体の適切な位置にゴム芯体部を配置させることは、極めて困難であった。
本発明の目的は、ゴム材と熱可塑性エラストマーの両者を用いる薬剤容器用栓体であって、薬剤吸着、ゴム栓素材からのゴム栓形成成分の溶出がなく、かつ、医療用針の穿刺が良好でありかつ抜去後においても良好なシール性を有し、使用するゴム材からなる板状部材が栓体内において良好な位置に保持可能な薬剤容器用栓体、その製造方法、薬剤容器用栓部材およびそれを用いた薬剤収納済薬剤容器に関するものである。
【課題を解決するための手段】
【０００６】
上記目的を達成するものは、以下のものである。
（１）  ゴム製板状部材と、前記ゴム製板状部材の上面に密着した熱可塑性エラストマー製の上部形成部と、前記ゴム製板状部材の下面に密着した熱可塑性エラストマー製の下部形成部とを有し、前記ゴム製板状部材の全体が前記上部形成部と前記下部形成部により被包されている薬剤容器用栓体であって、
前記下部形成部は、前記ゴム製板状部材の前記下面に密着した底板部と、前記底板部の周縁部から前記上部形成部方向に延びる複数の下部脚部とを有し、前記上部形成部は、前記ゴム製板状部材の上面に密着した上板部と、前記上板部の周縁部から前記下部形成部方向に延び、前記下部形成部の前記脚部間を補填するように形成された複数の上部脚部を備え、さらに、前記上部脚部は、前記ゴム製板状部材の下面方向に延び、前記ゴム製板状部材の下面の周縁部と密着する内側延出部を有している薬剤容器用栓体。
【０００７】
（２）  前記下部形成部は、前記底板部の側面に形成された切欠部を有し、前記上部形成部の前記上部脚部は、前記切欠部を補填している上記（１）に記載の薬剤容器用栓体。
（３）  前記下部形成部の前記下部脚部は、前記下部脚部の側面より前記下部脚部の内側に延びる凹部を有し、前記底板部の前記切欠部の側部は、前記下部脚部の前記凹部方向に延び前記凹部と一体化しており、前記上部形成部は、前記下部形成部の前記下部脚部の凹部および前記底板部の前記切欠部を補填している上記（２）に記載の薬剤容器用栓体。
（４）  前記下部形成部の前記下部脚部は、前記下部脚部の両側面より前記下部脚部の内側に延びる凹部を有し、前記底板部の前記切欠部の両側部は、前記下部脚部の前記凹部方向に延び前記凹部と一体化しており、前記上部形成部は、前記下部形成部の前記下部脚部の凹部および前記底板部の前記切欠部を補填している上記（２）に記載の薬剤容器用栓体。
（５）  前記下部脚部の前記凹部は、前記下部脚部の下端から上端まで延びている上記（３）または（４）に記載の薬剤容器用栓体。
（６）  前記下部形成部は、前記上部形成部方向に延びる３ないし５の上部脚部と、前記複数の下部脚部間により形成された３ないし５の下部脚部間空隙を有し、前記上部形成部は、前記下部脚部間空隙を補填するように形成された３ないし５の上部脚部を備えている上記（１）ないし（５）のいずれかに記載の薬剤容器用栓体。
（７）  前記上部形成部の前記上板部の刺通抵抗および前記下部形成部の前記底板部の刺通抵抗は、前記ゴム製板状部材の刺通抵抗より小さい上記（１）ないし（６）のいずれかに記載の薬剤容器用栓体。
（８）  前記ゴム製板状部材の肉厚は、前記栓体の中央部の肉厚の１／１０〜４／５である上記（１）ないし（７）のいずれかに記載の薬剤容器用栓体。
（９）  前記上部形成部の前記上板部の肉厚は、前記栓体の中央部の肉厚の１／６〜５／６である上記（１）ないし（８）のいずれかに記載の薬剤容器用栓体。
（１０）  前記下部形成部の前記底板部の肉厚は、前記栓体の中央部の肉厚の１／６〜５／６である上記（１）ないし（９）のいずれかに記載の薬剤容器用栓体。
【０００８】
また、上記目的を達成するものは、以下のものである。
（１１）  熱可塑性樹脂製の筒状部材と、前記筒状部材の一端部内に固着され、前記一端部を閉塞する薬剤容器用栓体とからなる薬剤容器用栓部材であって、前記薬剤容器用栓体が、上記（１）ないし（１０）のいずれかに記載の薬剤容器用栓体である薬剤容器用栓部材。
また、上記目的を達成するものは、以下のものである。
（１２）  開口部を有する薬剤容器本体と、前記薬剤容器本体の前記開口部に装着され、前記開口部を封止する上記（１１）に記載の薬剤容器用栓部材と、前記薬剤容器本体内に収納された薬剤とを備える薬剤収納済薬剤容器。
【０００９】
また、上記目的を達成するものは、以下のものである。
（１３）  ゴム製板状部材と、前記ゴム製板状部材の上面に密着した熱可塑性エラストマー製の上部形成部と、前記ゴム製板状部材の下面に密着し、かつ前記上部形成部と固着した熱可塑性エラストマー製の下部形成部とを有し、前記ゴム製板状部材の全体が前記上部形成部と前記下部形成部により被包されている薬剤容器用栓体を金型を用いた射出成形により製造する薬剤容器用栓体の製造方法であって、
前記製造方法は、前記ゴム製板状部材を準備する板状部材準備工程と、
前記ゴム製板状部材の下面と前記金型内面間に空隙が形成されるように、前記ゴム製板状部材の周縁部を金型のキャビティ内の複数の部位にて保持し、前記キャビティ内の複数の部位により保持された板状部材を下部形成部成形用金型内に入れ、前記板状部材の周縁部および底部に熱可塑性エラストマー溶融物を射出する下部形成部成形工程と、前記板状部材および前記下部形成部を上部形成部成形用金型内に入れ、かつ、前記下部形成部成形工程における前記ゴム製板状部材の保持部位を取り除き、当該部位を空隙とした状態にて、前記ゴム製板状部材を有する下部形成部の上部、周縁部および前記空隙に熱可塑性エラストマー溶融物を射出する上部形成部成形工程とを行う薬剤容器用栓体の製造方法。
（１４）  前記下部形成部成形工程は、前記板状部材に熱可塑性エラストマー溶融物が直接当接しないように、前記板状部材の周縁の外部より熱可塑性エラストマー溶融物の射出を行うものである上記（１３）に記載の薬剤容器用栓体の製造方法。
（１５）  前記上部形成部成形工程は、熱可塑性エラストマー溶融物が、前記下部形成部成形工程において形成された下部形成部に当接した後、前記ゴム製板状部材の上面に流入するように射出を行うものである上記（１３）または（１４）に記載の薬剤容器用栓体の製造方法。
【発明の効果】
【００１０】
本発明の薬剤容器用栓体は、ゴム製板状部材と、ゴム製板状部材の上面に密着した熱可塑性エラストマー製の上部形成部と、ゴム製板状部材の下面に密着した熱可塑性エラストマー製の下部形成部とを有し、ゴム製板状部材の全体が上部形成部と下部形成部により被包されている薬剤容器用栓体である。下部形成部は、ゴム製板状部材の下面に密着した底板部と、底板部の周縁部から上部形成部方向に延びる複数の下部脚部とを有し、上部形成部は、ゴム製板状部材の上面に密着した上板部と、上板部の周縁部から下部形成部方向に延び、下部形成部の脚部間を補填するように形成された複数の上部脚部を備え、さらに、上部脚部は、ゴム製板状部材の下面方向に延び、ゴム製板状部材の下面の周縁部と密着する内側延出部を有している。
この薬剤容器用栓体は、十分な柔軟性を維持し、薬剤吸着、ゴム栓素材からのゴム栓形成成分の溶出がなく、さらに、複数回の穿刺を行っても、良好な再シール性を有する。ゴム製板状部材は、下部形成部と上部形成部間に位置しており、かつ、上部形成部の上部脚部は、ゴム製板状部材の下面方向に延びる下部内側延出部を有するため、ゴム製板状部材は、栓体内において良好な位置に保持されている。
【００１１】
また、本発明の薬剤容器用栓部材は、熱可塑性樹脂製の筒状部材と、筒状部材の一端部内に固着され、一端部を閉塞する薬剤容器用栓体とからなる薬剤容器用栓部材であって、薬剤容器用栓体が、上記の薬剤容器用栓体となっている。
この薬剤容器用栓部材は、十分な柔軟性を維持し、薬剤吸着、ゴム栓素材からのゴム栓形成成分の溶出がなく、さらに、複数回の穿刺を行っても、良好な再シール性を有する。ゴム製板状部材は、下部形成部と上部形成部間に位置しており、かつ、上部形成部の上部脚部は、ゴム製板状部材の下面方向に延びる下部内側延出部を有するため、ゴム製板状部材は、栓体内において良好な位置に保持されている。
【００１２】
また、本発明の薬剤収納済薬剤容器は、開口部を有する薬剤容器本体と、薬剤容器本体の開口部に装着され、開口部を封止する上記の薬剤容器用栓部材と、薬剤容器本体内に収納された薬剤とを備えている。
この薬剤収納済薬剤容器は、薬剤吸着、ゴム栓素材からのゴム栓形成成分の溶出がなく、さらに、複数回の穿刺を行っても、良好な再シール性を有する。ゴム製板状部材は、下部形成部と上部形成部間に位置しており、かつ、上部形成部の上部脚部は、ゴム製板状部材の下面方向に延びる下部内側延出部を有するため、ゴム製板状部材は、栓体内において良好な位置に保持されている。
【００１３】
また、本発明の薬剤容器用栓体の製造方法は、ゴム製板状部材と、ゴム製板状部材の上面に密着した熱可塑性エラストマー製の上部形成部と、ゴム製板状部材の下面に密着し、かつ上部形成部と固着した熱可塑性エラストマー製の下部形成部とを有し、ゴム製板状部材の全体が上部形成部と下部形成部により被包されている薬剤容器用栓体を金型を用いた射出成形により製造する薬剤容器用栓体の製造方法である。本発明の製造方法は、ゴム製板状部材を準備する板状部材準備工程と、ゴム製板状部材の下面と金型内面間に空隙が形成されるように、ゴム製板状部材の周縁部を複数の部位にて保持するゴム製板状部材部分保持工程と、部分保持工程により保持された板状部材を下部形成部成形用金型内に入れ、板状部材の周縁部および底部に熱可塑性エラストマー溶融物を射出する下部形成部成形工程と、板状部材および下部形成部を上部形成部成形用金型内に入れ、かつ、ゴム製板状部材を保持する部位を取り除き、空隙とした状態にて、ゴム製板状部材を有する下部形成部の上部、周縁部および空隙に熱可塑性エラストマー溶融物を射出する上部形成部成形工程とを行うものである。
この製造方法によれば、下部形成部と上部形成部間の良好な部位にゴム製板状部材が位置する上述した薬剤容器用栓体を良好に製造することができる。
【図面の簡単な説明】
【００１４】
【図１】図１は、本発明の実施例である薬剤容器用栓体の正面図である。
【図２】図２は、図１に示した薬剤容器用栓体の平面図である。
【図３】図３は、図１に示した薬剤容器用栓体の底面図である。
【図４】図４は、図１のＡ−Ａ線断面図である。
【図５】図５は、図２のＢ−Ｂ線断面図である。
【図６】図６は、図１に示した薬剤容器用栓体の斜視図である。
【図７】図７は、図１に示した薬剤容器用栓体の構成部を示す斜視図である。
【図８】図８は、図１に示した薬剤容器用栓体の下部形成部の平面図である。
【図９】図９は、図１に示した薬剤容器用栓体の上部形成部の底面図である。
【図１０】図１０は、本発明の他の実施例の薬剤容器用栓体の斜視図である。
【図１１】図１１は、図１０に示した薬剤容器用栓体の構成部を示す斜視図である。
【図１２】図１２は、本発明の実施例である薬剤容器用栓部材の正面図である。
【図１３】図１３は、図１２に示した薬剤容器用栓部材の縦断面図である。
【図１４】図１４は、本発明の実施例である薬剤収納済薬剤容器の正面図である。
【図１５】図１５は、図１４に示した薬剤収納済薬剤容器の平面図である。
【図１６】図１６は、図１４に示した薬剤収納済薬剤容器の底面図である。
【図１７】図１７は、図１４のＣ−Ｃ線断面図である。
【図１８】図１８は、本発明の他の実施例である薬剤収納済薬剤容器の正面図である。
【図１９】図１９は、本発明の他の実施例である薬剤収納済薬剤容器の縦断面図である。
【図２０】図２０は、本発明の薬剤容器用栓体の製造方法を説明するための説明図である。
【図２１】図２１は、本発明の薬剤容器用栓体の製造方法を説明するための説明図である。
【図２２】図２２は、本発明の薬剤容器用栓体の製造方法を説明するための説明図である。
【図２３】図２３は、本発明の薬剤容器用栓体の製造方法を説明するための説明図である。
【図２４】図２４は、本発明の薬剤容器用栓体の製造方法を説明するための説明図である。
【図２５】図２５は、本発明の薬剤容器用栓体の製造方法を説明するための説明図である。
【図２６】図２６は、本発明の薬剤容器用栓体の製造方法を説明するための説明図である。
【図２７】図２７は、本発明の他の実施例の薬剤容器用栓体の斜視図である。
【図２８】図２８は、図２７に示した薬剤容器用栓体の底面図である。
【図２９】図２９は、図２８のＤ−Ｄ線断面図である。
【図３０】図３０は、図２７ないし図２９に示した薬剤容器用栓体の製造方法を説明するための説明図である。
【図３１】図３１は、図２７ないし図２９に示した薬剤容器用栓体の製造方法を説明するための説明図である。
【発明を実施するための形態】
【００１５】
本発明の薬剤容器用栓体について、図面に示した実施例を用いて説明する。
本発明の薬剤容器用栓体１は、図１ないし図７に示すように、ゴム製板状部材４と、ゴム製板状部材４の上面４１に密着した熱可塑性エラストマー製の上部形成部２と、ゴム製板状部材４の下面４２に密着した熱可塑性エラストマー製の下部形成部３とを有し、ゴム製板状部材４の全体が上部形成部２と下部形成部３により被包されている。
そして、下部形成部３は、ゴム製板状部材４の下面に密着した底板部３１と、底板部３１の周縁部から上部形成部２方向に延びる複数の下部脚部３２ａ，３２ｂ，３２ｃ，３２ｄとを有する。上部形成部２は、ゴム製板状部材４の上面に密着した上板部２１と、上板部２１の周縁部から下部形成部方向に延び、下部形成部３の下部脚部間（空隙３３ａ，３３ｂ，３３ｃ，３３ｄ）を補填するように形成された複数の上部脚部２２ａ，２２ｂ，２２ｃ，２２ｄを備える。さらに、上部脚部２２ａ，２２ｂ，２２ｃ，２２ｄは、ゴム製板状部材４の下面４２方向に延び、ゴム製板状部材４の下面４２の周縁部と密着した内側延出部２５ａ，２５ｂ，２５ｃ，２５ｄを有している。
【００１６】
本発明の薬剤容器用栓体１は、ゴム製板状部材４と、射出成形された熱可塑性エラストマー製の上部形成部２と、同様に射出成形された熱可塑性エラストマー製の下部形成部３とにより形成されている。そして、ゴム製板状部材４は、その全体が上部形成部２と下部形成部３により被包されており、栓体１の外面に露出しないものとなっている。
【００１７】
ゴム製板状部材４としては、図７に示すような円盤状のものが好適である。
板状部材４の肉厚は、０．５〜５ｍｍが好ましく、特に、１〜３ｍｍが好ましい。また、ゴム製板状部材４の肉厚は、栓体１の中央部の肉厚の１／１０〜４／５であることが好ましく、特に、１／６〜１／５であることが好ましい。また、板状部材４の直径は、５〜１５ｍｍが好ましく、特に、９〜１３ｍｍが好ましい。板状部材４の直径は、板状部材４の配置部における栓体の直径の１／２〜５／６であることが好ましく、特に、２／３〜３／４であることが好ましい。
ゴム製板状部材４としては、医療用針の刺通が可能であり、かつ、刺通後に抜去されてもシール性を保持するものが使用される。ゴムとしては、例えば、天然ゴム、イソプレンゴム、ブチルゴム、クロロプレンゴム、ニトリル−ブタジエンゴム、スチレン−ブタジエンゴム、シリコーンゴム等の各種ゴム材料を加硫処理もしくは架橋処理したものが挙げられる。特に、弾性特性を有し、γ線滅菌、電子線滅菌、高圧蒸気滅菌が可能などの観点からジエン系ゴムの架橋物が好ましい。
【００１８】
下部形成部３は、図１ないし図７に示すように、ゴム製板状部材４の下面に密着した底板部３１と、底板部３１の周縁部から上部形成部２方向に延びる複数の下部脚部３２ａ，３２ｂ，３２ｃ，３２ｄと、脚部間空隙３３ａ，３３ｂ，３３ｃ，３３ｄを備えている。そして、底板部３１と複数の下部脚部３２ａ，３２ｂ，３２ｃ，３２ｄにより、板状部材４の収納部が形成されている。さらに、底板部３１は、図７および図８に示すように、周縁部に設けられた複数（この実施例では、４つ）の円弧状の切欠部（側面切欠部）３４を備えている。また、図７および図８に示すように、切欠部３４は、脚部間空隙３３ａ，３３ｂ，３３ｃ，３３ｄの全体に延びるものとなっている。そして、載置された板状部材４の周縁部は、部分的に（側面切欠部３４部分にて）、底板部３１より突出している。このため、この部分において、底板部３１より板状部材４の底面が露出するものとなっている。
【００１９】
さらに、この実施例の下部形成部３では、下部脚部３２ａ，３２ｂ，３２ｃ，３２ｄは、下部脚部３２ａ，３２ｂ，３２ｃ，３２ｄの側面（この実施例では、両側面）より下部脚部の内側に延びる凹部３５を有している。そして、底板部４の切欠部３４の側部（この実施例では両側部）は、下部脚部の凹部３５方向、言い換えれば、下部脚部の内側に延びている。そして、底板部３１の切欠部３４の側部（この実施例では、両側部）は、下部脚部の凹部３５と一体化している。
【００２０】
さらに、この実施例の下部形成部３では、下部脚部３２ａ，３２ｂ，３２ｃ，３２ｄの側面に設けられた凹部３５は、下部脚部の下端から脚部の上端まで、延びるものとなっている。この実施例では、凹部３５は、下部脚部３２ａ，３２ｂ，３２ｃ，３２ｄの両側部の内側にそれぞれ形成されている。なお、一方のみであってもよい。また、底板部３１の切欠部３４の両側部もそれぞれ、下部脚部内に延びるものとなっている。このため、下部脚部３２ａ，３２ｂ，３２ｃ，３２ｄは、切欠部３４間により形成された接続部により、底板部３１に連結された形態となっている。なお、下部脚部の凹部３５は、下部脚部３２ａ，３２ｂ，３２ｃ，３２ｄの両側部の内側に設けることが好ましいが、一方の側部のみに設けてもよい。なお、このような凹部３５を設けることにより、成形時におけるゴム板脱落を防止することができる。また、底板部３１の切欠部３４の側部は、両側部が下部脚部の内側に延びることが好ましいが、一方のみ延びるもの、延びる部分を持たないものであってもよい。
【００２１】
また、この実施例では、図１、図４に示すように、底板部３１の底面と下部脚部３２ａ，３２ｂ，３２ｃ，３２ｄの下面は、同一平面を形成している。なお、底板部３１の底面が、下部脚部３２ａ，３２ｂ，３２ｃ，３２ｄの底面より、若干窪むものとしてもよい。また、底板部３１の切欠部３４における直径は、ゴム製板状部材４の直径より若干小さいものとなっている。このようにすることにより、上部形成部２の一部が、切欠部３４部分にて、ゴム製板状部材４の下面に延びるものとなり、栓体１内で、ゴム製板状部材４の位置固定が確実なものとなる。切欠部における底板部３１の直径とゴム製板状部材４の直径差は、１〜４ｍｍが好ましく、特に、１．５〜３ｍｍが好ましい。また、両者の中心は、実質的に同じ位置にあることが好ましい。また、底板部３１の直径（具体的には、切欠部以外の部分の直径、脚部内面が形成する円の直径）は、ゴム製板状部材４の直径とほぼ同じものとなっている。
【００２２】
この実施例の栓体１では、下部形成部３は、４つの下部脚部３２ａ，３２ｂ，３２ｃ，３２ｄと、同様に４つの脚部間空隙３３ａ，３３ｂ，３３ｃ，３３ｄを有しているが、脚部および脚部間空隙の数としては、３〜５が好ましい。脚部と脚部間空隙の外周占有比率は、脚部：脚部間空隙（後述する上部脚部）が、１：４〜４：１が好ましく、特に、１：２〜２：１が好ましい。
【００２３】
この実施例の栓体１では、下部脚部の方が、脚部間空隙（上部脚部）より大きいもの（外周占有率が高いもの）となっており、脚部：脚部間空隙（上部脚部）が、ほぼ５：４となっている。しかし、このようなものに限定されるものではなく、例えば、図１０および図１１に示す実施例の薬剤容器用栓体１ａのように、下部形成部３ａが備える下部脚部３２ａ，３２ｂ，３２ｃ，３２ｄの方が、上部形成部２ａが備える上部脚部２２ａ，２２ｂ，２２ｃ，２２ｄ（脚部間空隙３３ａ，３３ｂ，３３ｃ，３３ｄ）より小さいものであってもよい。
【００２４】
この実施例の薬剤容器用栓体１ａでは、上述した栓体１と同様に、底板部３１は、側面切欠部を備えている。しかし、この実施例の薬剤容器用栓体１ａでは、下部形成部３ａが備える下部脚部３２ａ，３２ｂ，３２ｃ，３２ｄは、上述した栓体１が備える凹部を持たないものとなっており、切欠部も凹部に延びる部分を持たないものとなっている。なお、栓体としては、下部脚部３２ａ，３２ｂ，３２ｃ，３２ｄに凹部を備え、底板部３１の切欠部が凹部内に延びないものであってもよい。また、栓体としては、下部脚部３２ａ，３２ｂ，３２ｃ，３２ｄに凹部を備えず、底板部３１の切欠部が脚部の内側まで延びるものであってもよい。
【００２５】
底板部３１の肉厚は、１〜６ｍｍが好ましく、特に、２〜４ｍｍが好ましい。また、底板部３１の肉厚は、栓体１の中央部の肉厚の１／６〜５／６であることが好ましく、特に、１／３〜１／２であることが好ましい。また、底板部３１の直径（最大径部分の直径）は、１２〜２４ｍｍが好ましく、特に、１４〜２０ｍｍが好ましい。下部脚部３２ａ，３２ｂ，３２ｃ，３２ｄの底板部３１の上面３１ａからの突出高さは、１〜６ｍｍが好ましく、特に、２〜４ｍｍが好ましい。また、脚部の半径方向の肉厚は、０．５〜５ｍｍが好ましく、特に、１〜３ｍｍが好ましい。また、下部形成部３の最大径部分の外径は、１２〜２４ｍｍが好ましく、特に、１４〜２０ｍｍが好ましい。
【００２６】
上部形成部２は、図１ないし図７に示すように、ゴム製板状部材４の上面に密着した上板部２１と、上板部２１の周縁部から、下部形成部方向に延び、下部形成部３の脚部間空隙３３ａ，３３ｂ，３３ｃ，３３ｄを補填するように形成された複数の上部脚部２２ａ，２２ｂ，２２ｃ，２２ｄを備える。これにより、脚部間空隙３３ａ，３３ｂ，３３ｃ，３３ｄは、隙間なく上部脚部形成材料により充填された状態となっている。また、上部形成部２を単体で見た場合、上部脚部２２ａ，２２ｂ，２２ｃ，２２ｄ間には、上部脚部間空隙２６ａ，２６ｂ，２６ｃ，２６ｄを有している。
【００２７】
また、この実施例では、図１、図４に示すように、底板部３１の底面と下部脚部３２ａ，３２ｂ，３２ｃ，３２ｄは、同一平面を形成している。なお、底板部３１の底面が、下部脚部３２ａ，３２ｂ，３２ｃ，３２ｄの底面より、若干窪むものとしてもよい。
【００２８】
そして、上述したように、下部形成部３の底板部３１は、側面切欠部３４を有しており、上部脚部２２ａ，２２ｂ，２２ｃ，２２ｄは、この底板部３１の切欠部３４を補填する内側延出部（下部内側延出部）２５ａ，２５ｂ，２５ｃ，２５ｄを有している。内側延出部２５ａ，２５ｂ，２５ｃ，２５ｄの先端部は、ゴム製板状部材４の下面の周縁部に接触している。そして、内側延出部２５ａ，２５ｂ，２５ｃ，２５ｄの先端部の上面は、ゴム製板状部材４の下面の周縁部に密着している。よって、ゴム製板状部材４は、周縁部において、部分的に上板部２１と、内側延出部２５ａ，２５ｂ，２５ｃ，２５ｄにより、挟持された状態となっている。また、上板部２１の上面には、環状リブ２３が設けられており、その内部には、凹部２４が形成されている。
【００２９】
上部脚部２２ａ，２２ｂ，２２ｃ，２２ｄの形成材料は、下部形成部３の下部脚部３２ａ，３２ｂ，３２ｃ，３２ｄ間の空隙を補填するとともに、下部脚部３２ａ，３２ｂ，３２ｃ，３２ｄの内側に形成された凹部３５、底板部３１の側面に形成された切欠部３４にも充填された状態となっている。よって、上部形成部２の上部脚部２２ａ，２２ｂ，２２ｃ，２２ｄは、下部形成部３の下部脚部の内側に食い込んだ状態となっている。このため、上部形成部２と下部形成部３の形態的にも組み合った状態となっており、かつ両者の接触面積は広く、分離しにくいものとなっている。また、栓体１は、内部に実質的に空隙を持たないものとなっている。
【００３０】
そして、上部形成部２は、栓体１の上面形態の全体、側面形態の一部、底面形態の一部を形成している。底部形成部３は、栓体１の下面形態の大半部分、側面形態の一部を形成している。
【００３１】
上板部２１の肉厚は、１〜６ｍｍが好ましく、特に、２〜３ｍｍが好ましい。また、上板部３１の肉厚は、栓体１の中央部の肉厚の１／６〜５／６であることが好ましく、特に、１／３〜１／２であることが好ましい。また、上板部２１の直径（最大径部分の直径）は、１２〜２４ｍｍが好ましく、特に、１４〜２０ｍｍが好ましい。上部形成部２の高さは、２〜８ｍｍが好ましく、特に、３〜６ｍｍが好ましい。
【００３２】
また、この実施例では、図１、図３および図４に示すように、栓体１の底面、言い換えれば、下部形成部の底板部３１の底面、下部脚部３２ａ，３２ｂ，３２ｃ，３２ｄの底面、上部形成部２の上部脚部２２ａ，２２ｂ，２２ｃ，２２ｄの底面は、同一平面を形成している。なお、上部脚部２２ａ，２２ｂ，２２ｃ，２２ｄの底面が、他の部分の底面より、若干窪むもの、逆に、若干突出するものであってもよい。
【００３３】
上部形成部および下部形成部に用いられる熱可塑性エラストマーとしては、オレフィン系エラストマー（ポリエチレンエラストマー、ポリプロピレンエラストマー）、アミド系エラストマー（ポリアミドエラストマー）、スチレン系エラストマー（例えば、スチレン−ブタジエン−スチレンコポリマー、スチレン−イソプレン−スチレンコポリマー、スチレン−エチレンブチレン−スチレンコポリマー）、ポリウレタン、ウレタン系エラストマーなどの熱可塑性エラストマーが好適に使用できる。
【００３４】
そして、栓体１における上部形成部２の上板部２１の刺通抵抗は、ゴム製板状部材４の刺通抵抗より小さいものであることが好ましい。また、栓体１における下部形成部３の底板部３１の刺通抵抗は、ゴム製板状部材４の刺通抵抗より小さいものであることが好ましい。このようにすることにより、栓体１の全体として、刺通抵抗の低いものとすることができる。上部形成部２の上板部２１の刺通抵抗は、ゴム製板状部材４の刺通抵抗の１／３〜２／３であることが好ましい。同様に、下部形成部２の底板部２１の刺通抵抗は、ゴム製板状部材４の刺通抵抗の１／３〜１／２であることが好ましい。
【００３５】
上部形成部および下部形成部に用いられる熱可塑性エラストマーとしては、同じエラストマーもしくは同種のエラストマーを用いることが好ましい。なお、上部形成部および下部形成部に用いられる熱可塑性エラストマーとしては、相溶性を有するものであれば、使用可能である。
【００３６】
また、この実施例の薬剤容器用栓体１は、ゴム製板状部材４を金型内に入れ、熱可塑性エラストマー溶融物を射出して下部形成部３を成形した後、熱可塑性エラストマー溶融物を射出して上部形成部２を形成することにより作成されている。このようにすることにより、完成した栓体１において、最初に成形した部位の変形が少ないものとすることができる。なお、下部形成部と上部形成部の形成順序は逆であってもよい。
【００３７】
そして、上部形成部および下部形成部に用いられる熱可塑性エラストマーとして相溶性を有するものを用いることにより、後に射出される形成部の形成時に、上部形成部および下部形成部は固着する。そして、ゴム製板状部材４を被包する上部形成部および下部形成は、冷却後若干収縮するため、ゴム製板状部材４は、冷却後の上部形成部および下部形成部の収縮により、ゴム製板状部材４と密着するとともに、ゴム製板状部材４を若干圧迫するものとなる。
【００３８】
ゴム製板状部材４は、上部形成部および下部形成部により全体が被包されるため、上部形成部および下部形成部に用いられる熱可塑性エラストマーと固着性を持たないものであってもよい。なお、ゴム製板状部材４を表面処理、表面皮膜形成などの表面加工により、上部形成部および下部形成部に用いられる熱可塑性エラストマーと固着性を有するものとしてもよい。
【００３９】
表面処理としては、プラズマ放電処理、コロナ放電処理等の放電処理、イソシアネート化合物、エポキシ化合物、エチレンイミン化合物、アミン化合物、ＲＦＬ（レゾルシンフォルマリンラテックス）などの表面改質処理剤に表面処理などが利用できる。
【００４０】
次に、本発明の薬剤容器用栓体の製造方法について、図２０ないし図２６を用いて説明する。
本発明の薬剤容器用栓体の製造方法は、ゴム製板状部材と、ゴム製板状部材の上面に密着した熱可塑性エラストマー製の上部形成部と、ゴム製板状部材の下面に密着し、かつ上部形成部と固着した熱可塑性エラストマー製の下部形成部とを有し、ゴム製板状部材の全体が上部形成部と下部形成部により被包されている薬剤容器用栓体を金型を用いた射出成形により製造する薬剤容器用栓体の製造方法である。
【００４１】
本発明の製造方法では、ゴム製板状部材を準備する板状部材準備工程と、ゴム製板状部材の下面と金型内面間に空隙が形成されるように、ゴム製板状部材の周縁部を金型のキャビティ内の複数の部位にて保持し、キャビティ内の複数の部位により保持された板状部材を下部形成部成形用金型内に入れ、板状部材の周縁部および底部に熱可塑性エラストマー溶融物を射出する下部形成部成形工程と、板状部材および下部形成部を上部形成部成形用金型内に入れ、かつ、下部形成部成形工程におけるゴム製板状部材の保持部位を取り除き（具体的には、退避させ）、当該部位を空隙とした状態にて、ゴム製板状部材を有する下部形成部の上部、周縁部および空隙に熱可塑性エラストマー溶融物を射出する上部形成部成形工程とを行うものである。
【００４２】
本発明の製造方法では、最初に、ゴム製板状部材を準備する板状部材準備工程が行われる。
ゴム製板状部材４としては、図７に示すような円盤状のものを準備する。板状部材４の肉厚は、０．５〜５ｍｍが好ましく、特に、１〜３ｍｍが好ましい。また、板状部材４の直径は、５〜１８ｍｍが好ましく、特に、９〜１３ｍｍが好ましい。ゴムとしては、例えば、天然ゴム、イソプレンゴム、ブチルゴム、クロロプレンゴム、ニトリル−ブタジエンゴム、スチレン−ブタジエンゴム、シリコーンゴム等の各種ゴム材料を加硫処理もしくは架橋処理したものが挙げられる。特に、弾性特性を有し、γ線滅菌、電子線滅菌、高圧蒸気滅菌が可能などの観点からジエン系ゴムの架橋物が好ましい。
【００４３】
次に、下部形成部成形工程を行う。
下部形成部成形工程では、最初に、図２０に示す様に、ゴム製板状部材４の下面と金型内面間に空隙が形成されるように、ゴム製板状部材の周縁部を複数の部位にて保持するゴム製板状部材部分保持を行う。具体的には、ゴム製板状部材の下面と金型内面間に空隙が形成されるように、ゴム製板状部材の周縁部を金型のキャビティ内の複数の部位にて保持する。
【００４４】
図２０に示す様な栓体成形用金型１００を準備する。栓体成形用金型１００は、板状部材４の保持機能を備えた下部形成部底部成形用金型１１０と、下部形成部側部成形用金型１２０とを備える。下部形成部底部成形用金型１１０は、筒状金型本体１１１と、筒状本体１１１内に移動可能に配置されたコア１１２と、筒状本体１１１とコア１１２間に移動可能に配置された複数（具体的には、４つ）の板状部材保持用ピン１１３ａ，１１３ｂ，１１３ｃを備えている。そして、板状部材保持用ピン１１３ａ，１１３ｂ，１１３ｃの先端には、内部段部により形成された保持部１１４ａ，１１４ｂ，１１４ｃが設けられている。
【００４５】
そして、上記の板状部材保持用ピン１１３ａ，１１３ｂ，１１３ｃの保持部１１４ａ，１１４ｂ，１１４ｃに、ゴム製板状部材４を装着することにより、ゴム製板状部材の下面と金型内面間に空隙が形成される。言い換えれば、ゴム製板状部材４の下面と金型内面間（コア１１２の先端面間）に空隙を有する状態にて、ゴム製板状部材の周縁部が、複数の保持用ピン１１３ａ，１１３ｂ，１１３ｃによりゴム製板状部材が保持されたものなっている。これにより、ゴム製板状部材部分保持工程が終了する。
【００４６】
次に、ゴム製板状部材部分保持工程により保持された板状部材４を下部形成部成形用金型内に入れ、板状部材の周縁部および底部に熱可塑性エラストマー溶融物を射出する。
この工程では、図２１に示すように、下部形成部底部成形用金型１１０に保持された板状部材４を下部形成部側部成形用金型１２０内に挿入する。図２０に示す様に、下部形成部底部成形用金型１１０を下部形成部側部成形用金型１２０方向に移動させ、図２１に示す様に、下部形成部側部成形用金型１２０内に、板状部材保持用ピン１１３ａ，１１３ｂ，１１３ｃに保持された板状部材４を収納させるとともに、下部形成部側部成形用金型１２０を下部形成部底部成形用金型１１０と当接させる。
【００４７】
図２１に示す様に、下部形成部側部成形用金型１２０と下部形成部底部成形用金型１１０間には、下部形成部形成空間が形成される。そして、ゴム製板状部材４の下面と下部形成部底部成形用金型１１０間の空隙は、下部形成部形成空間の一部を構成する。下部形成部側部成形用金型１２０は、内面に、下部形成部側部形状形成面１０１を備えている。また、この実施例では、下部形成部側部成形用金型１２０は、筒状の金型本体１２１と、その内部に配置された柱状コア１２２を有するものとなっている。なお、下部形成部側部成形用金型１２０は、一体物であってもよい。図２１に示す状態では、ゴム製板状部材４は、下面および側部が複数の板状部材保持用ピン１１３ａ，１１３ｂ，１１３ｃに保持され、上面は、下部形成部側部成形用金型１２０、具体的には、柱状コア１２２の下面に当接した状態となっている。ゴム製板状部材４は、複数の板状部材保持用ピン１１３ａ，１１３ｂ，１１３ｃと下部形成部側部成形用金型１２０（柱状コア１２２）により挟持されている。
【００４８】
そして、図２１に示す状態にて、熱可塑性エラストマーの溶融物をゲート１２３より、上記の金型内空間に注入する。これにより、図２２に示す様に、下部形成部３が形成される。そして、板状部材４は、側面にて、当接する下部形成部３の脚部の内面にて保持された状態となっている。これにより、下部形成部成形工程が終了する。そして、図２１に示す状態における下部形成部側部成形用金型１２０を離脱させる。離脱は、例えば、柱状コア１２２を図２１に示す状態に保持し、筒状の金型本体１２１のみを後退させ、下部形成部３より離脱した後、柱状コア１２２を後退させることにより行うことができる。これにより、図２３に示す様に、下部形成部底部成形用金型１１０は、板状部材４と下部形成部３を保持したものとなる。
【００４９】
なお、下部形成部成形工程は、板状部材４に熱可塑性エラストマー溶融物が直接当接しないように、板状部材４の周縁の外部より熱可塑性エラストマー溶融物の射出を行うことが好ましい。このために、この工程で使用する金型では、下部形成部側部成形用金型１２０の下面であり、下部形成部３の脚部形成部の上面となる位置にゲート１２３が設けられている。これにより、ゲート１２３より注入される樹脂が、ゴム製板状部材４に直接当接することなく、下部形成部３に一度流入した後、接触する。このため、ゴム製板状部材４の注入樹脂による変形が生じにくい。
【００５０】
次に、上部形成部成形工程を行う。この工程では、図２３に示すように、上部形成部成形用金型１３０を準備する。上部形成部成形用金型１３０は、内面に、上部形成部外面形成面１０３を備えている。そして、図２３のように、板状部材４と下部形成部３を保持した下部形成部底部成形用金型１１０を、準備した上部形成部成形用金型１３０方向に移動させ、図２４に示す様に、内部に、板状部材４を保持した下部形成部３を収納させるとともに、上部形成部成形用金型１３０を下部形成部底部成形用金型１１０と当接させる。
【００５１】
そして、図２３に示す様に、下部形成部底部成形用金型１１０の筒状金型本体１１１を残し、コア１１２および複数の板状部材保持用ピン１１３ａ，１１３ｂ，１１３ｃを離脱させ、代わりに、柱状コア１１５を挿入する。これにより、図２４に示す様に、キャビティ内内には、ゴム製板状部材の保持部位の取り除き（具体的には、板状部材保持用ピン１１３ａ，１１３ｂ，１１３ｃの退避）により、形成された空隙を有する。このようにして、下部形成部底部成形用金型１１０と上部形成部成形用金型１３０間（キャビティ内）には、上部形成部形成空間１０４が形成される。また、この実施例では、上部形成部成形用金型１３０は、ゲート１３３を有する金型本体１３１と、その内部に配置された脱型用柱状部１３２を有するものとなっている。なお、上部形成部成形用金型１３０は、一体物であってもよい。
【００５２】
そして、図２４に示す状態にて、熱可塑性エラストマーの溶融物をゲート１３３より、上記の金型内の上部形成部形成空間１０４に注入する。これにより、図２４に示す様に、上部形成部２が形成され、栓体１が完成する。板状部材４は、下部形成部３と上部形成部２間に全体が包まれた状態となる。これにより、上部形成部成形工程が終了する。
そして、上部形成部成形工程は、熱可塑性エラストマー溶融物が、下部形成部成形工程において形成された下部形成部３に当接した後、ゴム製板状部材４の上面に流入するように射出を行うことが好ましい。
【００５３】
この工程で使用する金型では、図２４に示す様に、上部形成部成形用金型１３０下面かつ周縁部であり、下部形成部３のいずれかの脚部（具体的には、下部脚部３２ｂ）の上方となる位置にゲート１３３が設けられている。このため、ゲート１３３より注入される樹脂が、ゴム製板状部材４に直接当接することなく、下部形成部３の脚部に当接した後、上部形成部形成空間１０４内に拡散する。このため、ゴム製板状部材４の注入樹脂による変形が生じにくい。さらに、ゴム製板状部材４の上部に注入された樹脂圧が、ゴム製板状部材４に均等に負荷され、ゴム製板状部材４を下部形成部３の底板部３１に押しつけるように作用するため、より、ゴム製板状部材４の変形および移動を規制する。また、下部脚部３２ｂは、図７および図４に示す様に、底板部３１と連結されているため、十分な剛性を有するため、射出樹脂による変形も生じにくい。よって、この工程において、ゴム製板状部材４および下部形成部３の変形は少ない。
【００５４】
さらに、この工程で使用する上部形成部成形用金型１３０および上述した下部形成部側部成形用金型１２０は、下部形成部底部成形用金型１１０に対するそれぞれのゲート１２３，１３３の位置が、下部形成部底部成形用金型１１０の上方かつ同じ延長線上に位置するものとなっている。このため、同じ射出機により、下部形成部および上部形成部の射出成形を行うことができる。
【００５５】
そして、図２６に示すように、下部形成部底部成形用金型１１０を後退させた後、上部形成部成形用金型１３０の脱型用柱状部１３２を前進させることにより、栓体１は、上部形成部成形用金型１３０より離脱する。
【００５６】
なお、本発明の薬剤容器用栓体としては、図２７ないし図２９に示すような薬剤容器用栓体１ｂであってもよい。図２７は、この実施例の薬剤容器用栓体の斜視図であり、図２８は、この実施例の薬剤容器用栓体の底面図であり、図２９は、図２８のＤ−Ｄ線断面図である。
【００５７】
この実施例の薬剤容器用栓体１ｂと上述した薬剤容器用栓体１との相違は、底面に鍵状凹部３８を有する点のみである。
この実施例の薬剤容器用栓体１ｂも上述した薬剤容器用栓体１と同様に、ゴム製板状部材４と、ゴム製板状部材４の上面４１に密着した熱可塑性エラストマー製の上部形成部２と、ゴム製板状部材４の下面４２に密着した熱可塑性エラストマー製の下部形成部３ｂとを有し、ゴム製板状部材４の全体が上部形成部２と下部形成部３ｂにより被包されている。
【００５８】
そして、図２７ないし図２９に示すように、栓体１ｂの下面には、上方に延びる鍵状凹部３８が、複数形成されている。この実施例では、鍵状凹部３８は、下部形成部３ｂの下面に形成されている。なお、鍵状凹部３８は、上部形成部２の下面に設けてもよい。
【００５９】
鍵状凹部３８は、底面より上方に延びる部分と上方（垂直上方）に延びる部分の上部より水平に延びる部分を備えている。このため鍵状となっている。この実施例では、水平に延びる部分は、上方に延びる部分より、外面方向に延びるものとなっている。なお、水平に延びる部分は、上方に延びる部分より、内側に延びるものであってもよい。
【００６０】
また、この実施例における鍵状凹部３８は、栓体１ｂ（具体的には、下部形成部３ｂ）の下面の外縁より若干内側となる位置に設けられている。このため、鍵状凹部３８は、下部形成部３ｂの側面には露出しないものとなっている。しかし、鍵状凹部としては、栓体１ｂ（具体的には、下部形成部３ｂ）の下面の外縁付近から上方に側面を部分的に削り取るように上方に延び、かつ上方に延びる部分の上部より栓体の内側に延びる部分を備えるものであってもよい。
【００６１】
また、この実施例の栓体１ｂでは、下面に、複数の鍵状凹部３８が形成されている。特に、この実施例では、複数（具体的には、２〜５個）の鍵状凹部３８からなる鍵状凹部群が、栓体１ｂの中心軸に対して等角度となるように形成されている。鍵状凹部群の数としては、３以上が好ましい。なお、鍵状凹部３８は、複数であることが好ましいが、１つのみであってもよい。
【００６２】
そして、この実施例の薬剤容器用栓体１ｂは、上述した薬剤容器用栓体１とほぼ同様の方法により製造される。図３０および図３１は、図２７ないし図２９に示した薬剤容器用栓体の製造方法を説明するための説明図である。
【００６３】
この実施例の薬剤容器用栓体の製造方法においても、ゴム製板状部材を準備する板状部材準備工程と、ゴム製板状部材の下面と金型内面間に空隙が形成されるように、ゴム製板状部材の周縁部を金型のキャビティ内の複数の部位にて保持し、キャビティ内の複数の部位により保持された板状部材を下部形成部成形用金型内に入れ、板状部材の周縁部および底部に熱可塑性エラストマー溶融物を射出する下部形成部成形工程と、板状部材および下部形成部を上部形成部成形用金型内に入れ、かつ、下部形成部成形工程におけるゴム製板状部材の保持部位を取り除き（具体的には、退避させ）、当該部位を空隙とした状態にて、ゴム製板状部材を有する下部形成部の上部、周縁部および空隙に熱可塑性エラストマー溶融物を射出する上部形成部成形工程とを行う。
【００６４】
そして、この実施例の薬剤容器用栓体の製造においても、上述した金型とほぼ同じものを用いる。この実施例の薬剤容器用栓体に用いる金型１００ａと上述した金型１００との実質的な相違は、鍵状凹部を形成するための鍵状突出部１１７の有無である。
【００６５】
図３０に示すように、金型１００ａにおける下部形成部底部成形用金型１１０ａは、上述した金型１００と同様の板状部材４の保持機能を備えるとともに、筒状金型本体１１１ａの上面に形成された複数の鍵状突出部１１７を備えている。この鍵状突出部１１７は、栓体１ａの底面に上述した鍵状凹部３８を形成するためのものである。鍵状突出部１１７は、筒状金型本体１１１ａの環状内縁付近に形成されている。特に、この金型１００ａでは、鍵状突出部１１７は、複数（具体的には、４つ）の板状部材保持用ピン１１３ａ，１１３ｂ，１１３ｃ間に位置するように設けられている。
【００６６】
鍵状突出部１１７は、筒状金型本体１１１ａの上面から上方（具体的には、垂直上方）に延びるシャフト部と、シャフト部の先端部より水平方向に延びる屈曲部とを備えている。この実施例では、屈曲部は、筒状金型本体１１１ａの外縁方向に延びるものとなっている。なお、屈曲部は、筒状金型本体１１１ａの内縁方向に延びるものであってもよい。
【００６７】
そして、この実施例の薬剤容器用栓体の製造においても、図３０に示すように、ゴム製板状部材４の下面と金型内面間に空隙が形成されるように、ゴム製板状部材の周縁部を複数の部位にてゴム製板状部材を保持する。そして、図２１、図２２と同様に、保持された板状部材４を下部形成部成形用金型内に配置し、板状部材の周縁部および底部に熱可塑性エラストマー溶融物を射出し、下部形成部を射出成形する。そして、図２３と同様に、下部形成部上部底部成形用金型を離間させ、下部形成部底部成形用金型が、板状部材４と下部形成部３を保持したものとする。そして、図２４および図２５と同様に、下部形成部底部成形用金型に保持された板状部材４と下部形成部３を、上部形成部成形用金型内に配置し、熱可塑性エラストマー溶融物を射出し、上部形成部を射出成形する。
【００６８】
そして、図３１に示すように、上部形成部底部成形用金型１３０ａと下部形成部底部成形用金型１１０ａを離間（例えば、上部形成部底部成形用金型１３０ａの上方への移動）することにより、成形された栓体１ｂは、下部形成部底部成形用金型１１０ａに形成された鍵状突出部により保持されているため、上部形成部底部成形用金型１３０ａに追従することなく露出する。このため、この実施例では上部形成部底部成形用金型１３０ａは、上述の上部形成部成形用金型１３０が備えていたような脱型用柱状部１３２を持たないものとなっている。
【００６９】
次に、本発明の薬剤容器用栓部材１０について、図１２および図１３に示す実施例を用いて説明する。
本発明の薬剤容器用栓部材１０は、熱可塑性樹脂製の筒状部材５と、筒状部材５の一端部内に固着され、一端部を閉塞する薬剤容器用栓体１とからなる。薬剤容器用栓体１としては、上述したものが用いられている。
栓部材１０は、図１２および図１３に示すように、熱可塑性樹脂製の筒状部材（環状キャップ）５と、筒状部材（環状キャップ）５に装着された薬剤容器用栓体１とからなる。栓部材１０は、栓体（ゴム栓）１とキャップ５との組み合わせからなる。
【００７０】
筒状部材（環状キャップ）５は、栓体１の装着部を有する筒状本体部５１と、筒状本体部５１の下端側部より外方に突出する突出部（環状突出部）５３と、突出部（環状突出部）５３の下面より下方に突出する融着用リブ５４とを備える。
筒状部材（環状キャップ）５は、図１３に示すように、開口部５５を備える円盤状上板部５２を備える。環状リブ５４は、突出部（フランジ）５３の外縁より若干内側となる位置より、下方に延びる環状リブとなっている。
【００７１】
栓体１は、上面の一部が開口部５５にて露出する状態にて、筒状本体部５１に収納されている。そして、この実施例では、栓体１は、筒状本体部５１の内面に接触する部分にて固着されている。このような形態は、形成された栓体１が金型内に収納された状態にて、栓体の外面を形成する熱可塑性エラストマーと相溶性のある樹脂を射出成形することにより、得ることができる。
【００７２】
筒状部材（環状キャップ）は、上記の通り、栓体の外面を形成する熱可塑性エラストマーと相溶性のある熱可塑性樹脂により形成されている。筒状部材（環状キャップ）の形成材料である熱可塑性樹脂は、栓体に使用される熱可塑性エラストマーによっても相違するが、例えば、ポリオレフィン（ポリエチレン、ポリプロピレン、エチレン−プロピレンコポリマー、ポリプロピレンとポリエチレンもしくはポリブテンの混合物）、ポリエステル（ポリエチレンテレフタレート、ポリブチレンテレフタレート）、ポリアミド、ポリ塩化ビニリデン、ポリフッ化ビニリデンなど等が挙げられる。
【００７３】
また、筒状部材（環状キャップ）は、後述する薬剤容器の開口部の形成材料（後述する図１４の実施例では容器本体６、図１９の実施例では容器本体１４）と相溶性の高いもの、特に好ましくは、同じもしくは同系統の樹脂を用いることが好ましい。また、筒状部材（環状キャップ）の形成材料は、薬剤容器の開口部の形成材料（後述する図１４の実施例では容器本体６、図１９の実施例では容器本体１４）の形成材料より、融点の低いものが好ましい。
【００７４】
次に、本発明の薬剤収納済薬剤容器２０について、図１４ないし図１７に示す実施例を用いて説明する。
本発明の薬剤収納済薬剤容器２０は、開口部６１を有する薬剤容器本体６と、薬剤容器本体６の開口部６１に装着され、開口部６１を封止する薬剤容器用栓部材１０と、薬剤容器本体６内に収納された薬剤７とを備える。
【００７５】
この実施例の薬剤容器２０は、容器本体部６０と管状開口部６１を一体に有する容器本体６を備え、ポート部として、栓体１を備える薬剤容器用栓部材１０が用いられている。薬剤容器用栓部材１０は、容器本体６の管状開口部６１に融着されている。薬剤容器２０は、容器本体６内に充填された薬剤７を備える。
【００７６】
容器本体６は、図１４ないし図１７に示すように、上端に開口を有するほぼ円筒状の管状開口部６１と、管状開口部６１と連続し、かつ下方に延びる扁平筒状上部６２と、筒状上部６２と連続し、かつ下方に延びる扁平筒状胴部６３と、筒状胴部６３と連続し、かつ下方に延びる扁平筒状下部６４とを備える。
【００７７】
管状開口部６１は、ほぼ同一内径にて所定長延びる筒状部である。この実施例では、管状開口部６１は、栓体１を備える薬剤容器用栓部材１０と共同して、ポート部を構成する。
管状開口部６１は、側面部より外方に突出する栓部材固着部（フランジ部）７１を備える。この実施例のものでは、栓部材固着部７１の上面は環状平坦部となっている。また、容器本体６は、閉塞した下面部６８を有しており、この下面部６８には、下方に突出する突出部６９が形成されている。突出部６９は、吊下用部材８の装着保持部として機能する。この実施例の吊下用部材８では、折り曲げることにより、薬剤容器の吊下が可能となる。
【００７８】
容器本体６は、筒状上部６２の長軸側（長軸を挟んで対向する）の正面および裏面にそれぞれ設けられた上部中央部６２ａ、６２ｂを備え、上部中央部は、上端から下端に向かって肉厚が徐々に薄くなっている。そして、この実施例の容器本体６は、扁平筒状上部６２の長軸側の両端部に設けられた２つの上部側部を備えている。２つの上部側部は、管状開口部６１に向かって急激に近接するものとなっている。また、上部側部は、外方に向かって略円弧状に突出する湾曲部となっている。
【００７９】
また、容器本体６は、扁平筒状上部６２の下端と連続し、かつ下方に延びる扁平筒状胴部６３を備える。また、扁平筒状胴部６３は、上部側部の下端と連続し、下方にのびる２つの胴部側部６６ａ，６６ｂを備えている。胴部側部６６ａ，６６ｂは、外方に向かって略円弧状に突出する湾曲部となっている。
【００８０】
また、容器本体６は、扁平筒状胴部６３の下端と連続し、かつ下方に延びる扁平筒状下部６４を備える。また、扁平筒状下部６４は扁平筒状下部６４の長軸の両端に設けられた２つの下部側部６５ａ，６５ｂと連続し、下部側部６５ａ，６５ｂは胴部側部６６ａ，６６ｂの下端と連続し、閉塞した下面部６８まで延びるものとなっている。扁平筒状下部６４は、図４に示すように、下方（下面部６８）に向かって幅が減少するとともに、厚さも徐々に薄くなるように形成されている。
【００８１】
容器本体６は、熱可塑性樹脂により形成されている。容器本体６の形成材料である熱可塑性樹脂としては、例えば、ポリオレフィン（ポリエチレン、ポリプロピレン、エチレン−プロピレンコポリマー、ポリプロピレンとポリエチレンもしくはポリブテンの混合物）、ポリエステル（ポリエチレンテレフタレート、ポリブチレンテレフタレート）、ポリアミド、ポリ塩化ビニリデン、 ポリフッ化ビニリデンなど等が挙げられる。この中でも、耐熱性に優れたポリプロピレン系樹脂が最も好ましい。
【００８２】
容器本体６の内容積としては、５０〜１６００ｍｌが好ましく、突出部６９の直径は２〜５ｍｍ程度が好ましい。また、容器本体６の容器本体部６０の厚さは、０．１〜０．５ｍｍが好ましく、容器本体６の容器本体部６０の幅は、６０〜１５０ｍｍ、容器本体６の容器本体部６０の長さは１１０〜２５０ｍｍであることが好ましい。
【００８３】
次に、薬剤容器２０のポートについて、説明する。
この実施例の薬剤容器２０では、ポートは、排出ポートである。
ポートは、上述した容器本体６の管状開口部６１と、これに固着された薬剤容器用栓部材１０により構成されている。薬剤容器用栓部材１０は、栓体１と筒状部材５とを備える。栓体１、筒状部材５は、上述した通りである。
筒状部材（環状キャップ）５は、図１７に示すように、筒状本体部５１および突出部（環状突出部）５２の下面が、フランジ部７１の栓部材固着部７１の上面環状平坦部と向かい、かつ、融着用リブが溶融し、フランジ部７１の上面環状平坦部（封止部材固着部）に固着している。
【００８４】
本発明の薬剤容器としては、図１８に示すような軟質バッグタイプの薬剤容器３０であってもよい。
そして、この実施例の薬剤容器３０としては、下部に位置する排出ポートとして、上述した管状部材９と栓体１を備える薬剤容器用栓部材１０とからなるものが用いられている。また、この実施例の薬剤容器３０では、上部に位置する混注ポートとしても、上述した管状部材９と栓体１を備える薬剤容器用栓部材１０とからなるものが用いられている。なお、薬剤容器３０としては、排出ポートのみを備えるものであってもよい。
【００８５】
ポートの具体的内容については、上述した薬剤容器２０と実質的に同じである。なお、この実施例の薬剤容器３０では、軟質容器８２が用いられている。管状部材９は、軟質容器８２と別部材により形成され、固着部９７、９８により、軟質容器８２に固定されている。
【００８６】
また、この実施例の軟質容器（容器本体）８２は、シート状筒状体により形成されている。容器本体８２には、内部収納部を区画し、解除可能な区画部を構成する仕切部８９が形成されており、第１の薬液室９１と第２の薬液室９２に区画されている。また、この薬剤容器３０は、容器本体８２の第１の薬液室９１に、管状部材９が取り付けられている。そして、第１の薬液室９１には、第１の薬液が収納され、第２の薬液室９２には第２の薬液が、収納されている。また、この実施例の容器本体８２は、上部シール部８５，下部シール部８６，側部シール部８７，８８を備えている。
【００８７】
仕切部８９は、容器本体８２を横方向全体に横切る剥離可能な仕切用弱シール部８９ａと、弱シール部８９ａの両端部の分岐部内に設けられた実質的に剥離不能な強シール部８９ｂを備えている。また、薬剤容器３０の容積は、内部に収納する薬剤の種類等によって異なるが、通常は、第１の薬液室の容積が、５０〜５０００ｍｌ程度であることが好ましく、第２の薬液室の容積が、５０〜５０００ｍｌ程度であることが好ましい。
【００８８】
それぞれの薬液室に収納される薬剤としては、薬液、散剤などが考えられる。特に、本発明の薬剤容器では、第１の薬液は、薬液であることが好ましい。第２の薬液は、薬液もしくは散剤いずれであってもよい。好ましくは、薬液である。第１の薬液および第２の薬液の組合せとしては、例えば、アミノ酸電解質液とブドウ糖液、ブドウ糖液と重曹液等の組み合わせが挙げられる。
【００８９】
そして、この実施例の薬剤容器３０では、管状部材９と容器本体８２内との連通を阻害する剥離可能な連通阻害弱シール部９８が設けられている。このため、管状部材（排出ポート）９は、容器本体８２内の空室９３と連通するものの、第１の薬液室１２１と連通しないものとなっている。上述した弱シール部８９ａ、９８は、シート材を帯状に熱シール（熱融着、高周波融着、超音波融着等）することにより形成される。
【００９０】
本発明の薬剤収納済薬剤容器としては、図１９に示すようなバイアル瓶タイプの薬剤容器４０であってもよい。
そして、この実施例の薬剤容器４０においても、ポートとして、上述した管状開口部１６と栓体１を備える薬剤容器用栓部材１０とからなるものが用いられている。また、この実施例の薬剤容器４０では、内部に薬剤１８を収納した容器本体１４を備えており、容器本体１４は、本体部１５とその上部に位置する管状開口部１６を備える。管状開口部１６は、上述した薬剤容器２０と同様に、容器本体と一体に形成されている。そして、管状開口部１６のフランジ部１９の上面には、栓体１を備える薬剤容器用栓部材１０が、融着されている。この容器におけるポートの具体的内容については、上述した薬剤容器２０と実質的に同じである。
【００９１】
以下、本発明の具体的な実施例について説明する。
（実施例１）
１）ゴム製板状部材の準備
ブチルゴムを用いて、図７に示す形状の円盤状ゴム板を作製した。ゴム板の作製は、ブチルゴムに添加剤を配合した加硫性ゴム組成物をプレス成形し、加硫することにより行った。得られたゴム板の形状は、外径１１ｍｍ、肉厚１ｍｍであった。
【００９２】
２）下部形成部の射出成形
上記の円盤状ゴム板を図２０ないし図２５に示す様な金型に装着した後、熱可塑性エラストマーであるスチレン系熱可塑性エラストマー［ラバロン（登録商標）ＰＪ６３００Ｃ、三菱化学株式会社製］を射出成形することにより、下部形成部を作成した。ゴム板下部における下部形成部の厚さは、２．５ｍｍであった。
【００９３】
３）上部形成部の射出成形
上記のように円盤状ゴム板の下部に下部形成部を形成した後、図２０ないし図２５に示す様な金型内に、スチレン系熱可塑性エラストマー［ラバロン（登録商標）ＰＪ６３００Ｃ］を射出成形することにより、上部形成部を作成した。ゴム板上部における上部形成部の厚さは、６．３ｍｍであった。このようにして、本発明の薬剤容器用栓体を作成した。薬剤容器用栓体の外径は、16ｍｍ、中央部の肉厚は、９．８ｍｍであった。
【００９４】
４）  上記のようにして作成した本発明の薬剤容器用栓体を筒状部材形成用金型（図示せず）内に配置した後、上記の熱可塑性エラストマーと相溶性を有する熱可塑性樹脂であるポリプロピレン［ノバテック（登録商標）ＰＰ、日本ポリプロ株式会社製］を射出成形することにより、薬剤容器用栓体の外周部を被包する筒状部材（キャップ部）を形成し、本発明の薬剤容器用栓部材を作成した。
【００９５】
（実験）
実施例１の薬剤容器用栓体および薬剤容器用栓部材について、下記の試験を行った。
（実験１：溶出物試験）
日本薬局方に記載されている「７．０３ 輸液用ゴム栓試験」に基づき、試験を実施した。実施例１の薬剤容器用栓体からは、溶出物は検出されなかった。
【００９６】
（実験２：リシール性試験）
実施例１の薬剤容器用栓部材を１０ｍｌの水を入れたポリプロピレン製のバイアル容器の開口部にヒートシールにより固着した後、高圧蒸気滅菌（１０９℃、１２ｍｉｎ）することにより、液体充填済み薬剤容器を複数個作成した。４つの薬剤容器用栓部材を下に向けた状態で、輸液セット用の樹脂製の薬剤排出用針（外径約４ｍｍ）を刺通し、２４時間後に抜去し、抜去後の液漏れの有無を確認したところ、いずれの薬剤容器からも液漏れは確認されなかった。同様に、４つの薬剤容器用栓部材を下に向けた状態で、注射針（１８Ｇ）を刺通し、２４時間後に抜去し、抜去後の液漏れの有無を確認したところ、いずれの薬剤容器からも液漏れは確認されなかった。
【符号の説明】
【００９７】
１  薬剤容器用栓体
２  上部形成部
２２ａ，２２ｂ，２２ｃ，２２ｄ  上部脚部
２５ａ，２５ｂ，２５ｃ，２５ｄ  内側延出部
３  下部形成部
３２ａ，３２ｂ，３２ｃ，３２ｄ  下部脚部
４  ゴム製板状部材
６  薬剤容器本体
８  薬剤
１０  薬剤収納済薬剤容器
【図１】
0006668578.tif 000002
【図２】
0006668578.tif 000003
【図３】
0006668578.tif 000004
【図４】
0006668578.tif 000005
【図５】
0006668578.tif 000006
【図６】
0006668578.tif 000007
【図７】
0006668578.tif 000008
【図８】
0006668578.tif 000009
【図９】
0006668578.tif 000010
【図１０】
0006668578.tif 000011
【図１１】
0006668578.tif 000012
【図１２】
0006668578.tif 000013
【図１３】
0006668578.tif 000014
【図１４】
0006668578.tif 000015
【図１５】
0006668578.tif 000016
【図１６】
0006668578.tif 000017
【図１７】
0006668578.tif 000018
【図１８】
0006668578.tif 000019
【図１９】
0006668578.tif 000020
【図２０】
0006668578.tif 000021
【図２１】
0006668578.tif 000022
【図２２】
0006668578.tif 000023
【図２３】
0006668578.tif 000024
【図２４】
0006668578.tif 000025
【図２５】
0006668578.tif 000026
【図２６】
0006668578.tif 000027
【図２７】
0006668578.tif 000028
【図２８】
0006668578.tif 000029
【図２９】
0006668578.tif 000030
【図３０】
0006668578.tif 000031
【図３１】
0006668578.tif 000032